(57)【特許請求の範囲】
【請求項１】
構内設置型の交換装置と該交換装置に接続した構内電話機とからなる電話システムにおいて、前記交換装置は、運用開始前に、一斉呼び出しやページングの対象となる各前記構内電話機に対して順次一斉呼び出しやページングにて使用する着信音の鳴動を指示する一方、前記交換装置は、前記着信音の鳴動を指示していない残りの前記構内電話機から、前記着信音の鳴動を指示した前記構内電話機が出力した前記着信音を受信した際の音声レベルを順次収集し、収集した前記音声レベルの強弱に基づいて、各前記構内電話機の間の相対的な距離を判別することによって、一斉呼び出しやページングの際に前記着信音を鳴動させるべき前記構内電話機を呼び出し対象電話機として決定し、該呼び出し対象電話機として選択していない残りの前記構内電話機を、前記着信音を鳴動させない鳴動無し電話機として決定することを特徴とする電話システム。
【請求項２】
各前記構内電話機の間の相対的な距離を判別して、前記呼び出し対象電話機および前記鳴動無し電話機を決定する際に、前記着信音の鳴動を指示していない残りの前記構内電話機の全てが、前記着信音の鳴動元の前記構内電話機からの前記着信音を受信した際の音声レベルがあらかじめ定めた音量閾値を超える領域内に含まれることになる前記着信音の鳴動元の前記構内電話機の組み合わせを算出し、算出した前記着信音の鳴動元の前記構内電話機の組み合わせのうち、前記着信音の鳴動元の前記構内電話機の台数が最も少ない組み合わせの前記構内電話機を、前記呼び出し対象電話機として決定し、該呼び出し対象電話機以外の前記構内電話機を前記鳴動無し電話機として決定することを特徴とする請求項１に記載の電話システム。
【請求項３】
運用開始前に、各前記構内電話機の相対的な距離を判別する動作を行うことなく、一斉呼び出しやページングの対象となる各前記構内電話機について、任意に、前記呼び出し対象電話機と前記鳴動無し電話機とに振り分けて設定し、運用開始後の実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果として、前記音量閾値以下の音声レベルの前記構内電話機が存在していた場合には、前記音量閾値以下の音声レベルになった当該構内電話機を、前記呼び出し対象電話機に新たに追加することを特徴とする請求項１または２に記載の電話システム。
【請求項４】
運用開始前に、各前記構内電話機の相対的な距離を判別する動作を行うことなく、一斉呼び出しやページングの対象となる各前記構内電話機について、任意に、前記呼び出し対象電話機と前記鳴動無し電話機とに振り分けて設定し、運用開始後の実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果として、過剰な大音量の識別用としてあらかじめ定めた大音量閾値以上の音声レベルの前記構内電話機が存在していた場合には、前記大音量閾値以上の音声レベルになった当該該構内電話機に最も近接した位置に存在している前記呼び出し対象電話機を、前記鳴動無し象電話機に変更して設定することを特徴とする請求項１ないし３のいずれかに記載の電話システム。
【請求項５】
運用開始後において、一斉呼び出しやページングの対象となる前記構内電話機の配置位置の変更、または、前記構内電話機の新設または削除が発生した場合、実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果に基づいて、前記呼び出し対象電話機の設定を変更することを特徴とする請求項１ないし４のいずれかに記載の電話システム。
【請求項６】
構内設置型の交換装置と該交換装置に接続した構内電話機とからなる電話システムにおいて、一斉呼び出しやページングの対象となる前記構内電話機のうち一斉呼び出しやページング時に着信音を鳴動させる前記構内電話機を呼び出し対象電話機として選択して決定する呼び出し対象電話機設定方法であって、前記交換装置は、運用開始前に、一斉呼び出しやページングの対象となる各前記構内電話機に対して順次一斉呼び出しやページングにて使用する着信音の鳴動を指示する一方、前記交換装置は、前記着信音の鳴動を指示していない残りの前記構内電話機から、前記着信音の鳴動を指示した前記構内電話機が出力した前記着信音を受信した際の音声レベルを順次収集し、収集した前記音声レベルの強弱に基づいて、各前記構内電話機の間の相対的な距離を判別することによって、一斉呼び出しやページングの際に前記着信音を鳴動させるべき前記構内電話機を呼び出し対象電話機として決定し、該呼び出し対象電話機として選択していない残りの前記構内電話機を、前記着信音を鳴動させない鳴動無し電話機として決定することを特徴とする呼び出し対象電話機設定方法。
【請求項７】
各前記構内電話機の間の相対的な距離を判別して、前記呼び出し対象電話機および前記鳴動無し電話機を決定する際に、前記着信音の鳴動を指示していない残りの前記構内電話機の全てが、前記着信音の鳴動元の前記構内電話機からの前記着信音を受信した際の音声レベルがあらかじめ定めた音量閾値を超える領域内に含まれることになる前記着信音の鳴動元の前記構内電話機の組み合わせを算出し、算出した前記着信音の鳴動元の前記構内電話機の組み合わせのうち、前記着信音の鳴動元の前記構内電話機の台数が最も少ない組み合わせの前記構内電話機を、前記呼び出し対象電話機として決定し、該呼び出し対象電話機以外の前記構内電話機を前記鳴動無し電話機として決定することを特徴とする請求項６に記載の呼び出し対象電話機設定方法。
【請求項８】
運用開始前に、各前記構内電話機の相対的な距離を判別する動作を行うことなく、一斉呼び出しやページングの対象となる各前記構内電話機について、任意に、前記呼び出し対象電話機と前記鳴動無し電話機とに振り分けて設定し、運用開始後の実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果として、前記音量閾値以下の音声レベルの前記構内電話機が存在していた場合には、前記音量閾値以下の音声レベルになった当該構内電話機を、前記呼び出し対象電話機に新たに追加することを特徴とする請求項６または７に記載の呼び出し対象電話機設定方法。
【請求項９】
運用開始前に、各前記構内電話機の相対的な距離を判別する動作を行うことなく、一斉呼び出しやページングの対象となる各前記構内電話機について、任意に、前記呼び出し対象電話機と前記鳴動無し電話機とに振り分けて設定し、運用開始後の実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果として、過剰な大音量の識別用としてあらかじめ定めた大音量閾値以上の音声レベルの前記構内電話機が存在していた場合には、前記大音量閾値以上の音声レベルになった当該該構内電話機に最も近接した位置に存在している前記呼び出し対象電話機を、前記鳴動無し象電話機に変更して設定することを特徴とする請求項６ないし８のいずれかに記載の呼び出し対象電話機設定方法。
【請求項１０】
運用開始後において、一斉呼び出しやページングの対象となる前記構内電話機の配置位置の変更、または、前記構内電話機の新設または削除が発生した場合、実際の一斉呼び出しやページングによる前記着信音を前記呼び出し対象電話機から出力させた際に、当該呼び出し対象電話機以外の他の前記構内電話機において受信した該着信音の音声レベルを測定する音声レベル測定動作を実施し、該音声レベル測定動作結果に基づいて、前記呼び出し対象電話機の設定を変更することを特徴とする請求項６ないし９のいずれかに記載の呼び出し対象電話機設定方法。
【請求項１１】
請求項６ないし１０のいずれかに記載の呼び出し対象電話機設定方法を、前記交換装置に搭載したコンピュータによって実行可能なプログラムとして実施することを特徴とする呼び出し対象電話機設定プログラム。
【発明の詳細な説明】
【技術分野】
【０００１】
本発明は、電話システム、呼び出し対象電話機設定方法および呼び出し対象電話機設定プログラムに関し、特に、構内交換機やキーテレホンシステム等の構内設置型の交換装置に接続する構内電話機（ＩＰ電話機またはデジタル電話機等）のすべてまたは指定したグループに対する一斉呼び出しやページングを行う際に、呼び出し音を鳴動させる対象とする呼び出し対象電話機を自動的に決定して設定することが可能な電話システム、呼び出し対象電話機設定方法および呼び出し対象電話機設定プログラムに関する。
【背景技術】
【０００２】
従来の構内交換機やキーテレホンシステムといった構内設置型の交換装置を備えた電話システムにおいては、個々の構内電話機（内線電話機）に対するサービスのみならず、会社、部門、グループなど複数の構内電話機（内線電話機）に対するサービスとして、特許文献１の特開２００９−２７２８４１号公報「一斉呼び出し機能を有する電話システム」に記載されているように、交換装置に接続されている構内電話機（内線電話機）の全てまたは指定したグループを呼び出し音（リング）や音声によって一斉に呼び出す一斉呼び出し機能やページング機能を備えている。
【先行技術文献】
【特許文献】
【０００３】
【特許文献１】特開２００９−２７２８４１号公報（第３−４頁）
【発明の開示】
【発明が解決しようとする課題】
【０００４】
ここで、前記特許文献１に記載のような従来の構内設置型の電話システムにおいては、構内交換機やキーテレホンシステムといった構内設置型の交換装置に接続している構内電話機（デジタル電話機やＩＰ電話機）のすべてもしくは指定したグループに対して行う一斉呼び出しやページングの対象となる構内電話機を、構内電話機それぞれの設置場所を考慮して、電話システムの運用者が手動で設定することが必要になっていて、電話システムの設定工事が煩雑化しているとともに工事ミスが発生する要因にもなっている。
【０００５】
また、構内電話機（デジタル電話機やＩＰ電話機）の設置場所が互いに近接して設置されていた場合、一斉呼び出しやページングの対象となる全てもしくは指定したグループに属している構内電話機を一斉に着信鳴動させた場合には、思わぬ大音量やハウリングなどの問題を引き起こす恐れがある。
【０００６】
また、設置工事を終了して運用を開始した後において、構内電話機（デジタル電話機やＩＰ電話機）の設置場所を移動した場合、電話システムにあらかじめ設定しておいたフロアレイアウト図と実際の設置場所とに差異が生じて、一斉呼び出しやページングの音声、リング（呼び出し音）などが聴取できなくなる構内電話機のユーザが発生する恐れがある。
【０００７】
（本発明の目的）
本発明は、かかる事情に鑑みてなされたものであり、一斉呼び出しやページングの際に呼び出し対象電話機として着信音を鳴動させる構内電話機（ＩＰ電話機またはデジタル電話機）の設定および設置工事を容易化することが可能な電話システム、呼び出し対象電話機設定方法および呼び出し対象電話機設定プログラムを提供することを、その目的としている。
【課題を解決するための手段】
【０００８】
前述の課題を解決するため、本発明による電話システム、呼び出し対象電話機設定方法および呼び出し対象電話機設定プログラムは、主に、次のような特徴的な構成を採用している。
【０００９】
（１）本発明による電話システムは、構内設置型の交換装置と該交換装置に接続した構内電話機とからなる電話システムにおいて、前記交換装置は、運用開始前に、一斉呼び出しやページングの対象となる各前記構内電話機に対して順次一斉呼び出しやページングにて使用する着信音の鳴動を指示する一方、前記交換装置は、前記着信音の鳴動を指示していない残りの前記構内電話機から、前記着信音の鳴動を指示した前記構内電話機が出力した前記着信音を受信した際の音声レベルを順次収集し、収集した前記音声レベルの強弱に基づいて、各前記構内電話機の間の相対的な距離を判別することによって、一斉呼び出しやページングの際に前記着信音を鳴動させるべき前記構内電話機を呼び出し対象電話機として決定し、該呼び出し対象電話機として選択していない残りの前記構内電話機を、前記着信音を鳴動させない鳴動無し電話機として決定することを特徴とする。
【００１０】
（２）本発明による呼び出し対象電話機設定方法は、構内設置型の交換装置と該交換装置に接続した構内電話機とからなる電話システムにおいて、一斉呼び出しやページングの対象となる前記構内電話機のうち一斉呼び出しやページング時に着信音を鳴動させる前記構内電話機を呼び出し対象電話機として選択して決定する呼び出し対象電話機設定方法であって、前記交換装置は、運用開始前に、一斉呼び出しやページングの対象となる各前記構内電話機に対して順次一斉呼び出しやページングにて使用する着信音の鳴動を指示する一方、前記交換装置は、前記着信音の鳴動を指示していない残りの前記構内電話機から、前記着信音の鳴動を指示した前記構内電話機が出力した前記着信音を受信した際の音声レベルを順次収集し、収集した前記音声レベルの強弱に基づいて、各前記構内電話機の間の相対的な距離を判別することによって、一斉呼び出しやページングの際に前記着信音を鳴動させるべき前記構内電話機を呼び出し対象電話機として決定し、該呼び出し対象電話機として選択していない残りの前記構内電話機を、前記着信音を鳴動させない鳴動無し電話機として決定することを特徴とする。
【００１１】
（３）本発明による呼び出し対象電話機設定プログラムは、少なくとも前記（２）に記載の呼び出し対象電話機設定方法を、前記交換装置に搭載したコンピュータによって実行可能なプログラムとして実施することを特徴とする。
【発明の効果】
【００１２】
本発明の電話システム、呼び出し対象電話機設定方法および呼び出し対象電話機設定プログラムによれば、以下のような効果を奏することができる。
【００１３】
第一の効果は、構内交換機やキーテレホンシステムといった構内設置型の交換装置を備えた電話システムにおいて一斉呼び出しやページングの際に呼び出し対象電話機として着信音を鳴動させる構内電話機（ＩＰ電話機またはデジタル電話機）の設定および設置工事を容易化することができることにある。その理由は、多数の構内電話機（ＩＰ電話機またはデジタル電話機）の中から、一斉呼び出しやページングの際に呼び出し対象電話機として着信音を鳴動させるべき構内電話機を、実際に鳴動させた着信音の音声レベル（音量）の測定結果を基にして、適切かつ自動的に設定することを可能にしているからである。
【００１４】
第二の効果は、フロア移動や席替えなどによる構内電話機（ＩＰ電話機またはデジタル電話機）の設置場所の変更が発生した場合であっても、設置場所の変更後の構内電話機において最適となるように、前記呼び出し対象電話機として着信音を鳴動させるべき構内電話機の設定を容易に変更することができることにある。その理由は、運用開始後の一斉呼び出しやページングによる着信音の音声レベル（音量）の測定結果に基づいて、一斉呼び出しやページングの際に呼び出し対象電話機として着信音を鳴動させるべき構内電話機を、適切かつ自動的に設定することを可能にしているからである。
【図面の簡単な説明】
【００１５】
【図１】本発明による電話システムのシステム構成の一例を説明するためのシステム構成図である。
【図２】図１に示した電話システムに接続されている構内電話機の設置状況の一例を説明するための配置図である。
【図３Ａ】図１、図２に例示した電話システムの動作の一例を説明するためのフローチャートの前半部分を示す図である。
【図３Ｂ】図１、図２に例示した電話システムの動作の一例を説明するためのフローチャートの後半部分を示す図である。
【図４】図２に示した電話システムの第一部門の構内電話機に対する呼び出し対象電話機を選択する動作例を説明するための模式図である。
【発明を実施するための形態】
【００１６】
以下、本発明による電話システム、呼び出し対象電話機設定方法および呼び出し対象電話機設定プログラムの好適な実施形態について添付図を参照して説明する。なお、以下の説明においては、本発明による電話システムおよび呼び出し対象電話機設定方法について説明するが、かかる呼び出し対象電話機設定方法をコンピュータにより実行可能な呼び出し対象電話機設定プログラムとして実施するようにしても良いし、あるいは、呼び出し対象電話機設定プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。本発明は、構内交換機やキーテレホンシステム等の構内設置型の交換装置を用いた電話システムにおいて、該交換装置に接続している構内電話機（ＩＰ電話機やデジタル電話機）の全てもしくは指定したグループに対して音声、リング（呼び出し音）等による一斉呼び出しやページングを行う際に、一斉呼び出しやページングの音声、リング（呼び出し音）等による着信音を鳴動させるべき対象となる呼び出し対象電話機を効率的かつ自動的に設定することを主要な特徴としている。
【００１８】
より具体的には、構内交換機やキーテレホンシステム等の構内設置型の交換装置において、該交換装置に接続している１ないし複数の構内電話機（ＩＰ電話機やデジタル電話機）のうち、一斉呼び出しやページングの対象となる構内電話機について、あらかじめ定めた順序で選択した１台の構内電話機に対して一斉呼び出しやページングの音声、リング（呼び出し音）等による着信音を鳴動させ、残りの全ての構内電話機において、当該着信音の音声信号をそれぞれのマイクによって集音させて、集音した音声信号の音量（音声レベル）を測定して、測定した音量（音声レベル）を記憶していくという動作を、一斉呼び出しやページングの対象の全ての構内電話機について着信音の鳴動動作が終了するまで、順番に繰り返して実施する。
【００１９】
しかる後、順次一斉呼び出しやページングの音声、リング（呼び出し音）等による着信音を鳴動させた音声レベル測定動作結果として記憶された残りの各構内電話機における音量（音声レベル）を解析して、一斉呼び出しやページングの対象となるそれぞれの構内電話機の設置場所において、残りの全ての構内電話機が受け取った着信音の音量（音声レベル）が、あらかじめ定めた音量閾値以上になる着信音鳴動元の構内電話機の組み合わせを算出し、算出した構内電話機の組み合わせのうち、該着信音鳴動元の構内電話機が最も少ない台数になる組み合わせの構内電話機を、一斉呼び出しやページングの音声、リング（呼び出し音）等による着信音を鳴動させるべき対象となる呼び出し対象電話機として決定することを特徴としている。
【００２０】
例えば、オフィス等の会社の構内においては、一般に、担当者ごと／テーブルごとに、構内電話機が設置される場合が多く、狭い場所に、多くの構内電話機が設置されることになる。このため、部門ごとに代表番号を設けている場合に、特定の構内電話機に個別に着信する時ではなく、代表番号への着信が発生した時（すなわち一斉呼び出しが発生した時）に、代表グループを組んでいる全ての構内電話機にて着信音を鳴動させるように設定しておくと、着信音の音量が大き過ぎて、煩くなったり、ハウリングが生じたりするため、呼び出し音を鳴動させる対象とする呼び出し対象電話機を、代表グループを組んでいる全ての構内電話機の中から適当な個数の構内電話機のみに間引いて、着信音を鳴動させるように設定することが必要になる。このため、本発明においては、かくのごとき場合において、代表番号への着信時に、代表グループを組んでいる構内電話機のうち、代表グループを組んでいる全ての構内電話機のユーザそれぞれが代表番号への着信が発生している旨を認識することを可能にするために、どの構内電話機で着信音（呼び出し音）を鳴らし、どの構内電話機で着信音（呼び出し音）を鳴らさないかを、自動的に設定することを可能にしている。
【００２１】
而して、例えば、代表番号への着信時において、前述のような手順に基づいて決定した呼び出し対象電話機のみについて着信音を鳴らすように設定することによって、全ての構内電話機を一斉に鳴動させた場合のように、思わぬ大音量やハウリングなどの問題を引き起こすことを確実に防ぐとともに、選択した一部の構内電話機のみに対して着信音を鳴動させた場合においても、場所によって該着信音が聴取できなくなるという事態の発生も確実に防止することができる。
【００２２】
（実施形態の構成例）
次に、本発明による電話システムの実施形態の構成例について、図１、図２を参照しながら詳細に説明する。ここに、図１は、本発明による電話システムのシステム構成の一例を説明するためのシステム構成図であり、図２は、図１に示した電話システムに接続されている構内電話機の設置状況の一例を説明するための配置図である。
【００２３】
図１に示す電話システムは、交換装置１と、該交換装置１に接続される構内電話機として、該交換装置１とＬＡＮ（Local  Area  Network）３１を介して接続される１ないし複数のＩＰ電話機１１と、該交換装置１とデジタル通信ケーブル３２を介して接続される１ないし複数のデジタル電話機２１とを少なくとも含んで構成される。ここで、交換装置１は、構内電話機（ＰＢＸ：Private  Branch  Exchange）もしくはキーテレホンシステム等の構内設置型の電話装置によって構成されている。
【００２４】
交換装置１は、装置全体の制御を行う制御部２、構内電話機のうちＩＰ電話機１１への指示およびＩＰ電話機１１からの情報取得の制御を行うＩＰ電話機制御部３、構内電話機のうちデジタル電話機２１への指示およびデジタル電話機２１からの情報取得の制御を行うデジタル電話機制御部４、各構内電話機すなわち各ＩＰ電話機１１および各デジタル電話機２１間の音声レベル（音量）を、つまり、各構内電話機それぞれが鳴動した着信音を残りの他の構内電話機それぞれが受信した際の音声レベル（音量）を記憶する記憶部５、各構内電話機すなわち各ＩＰ電話機１１および各デジタル電話機２１間の音声レベルから得られる各構内電話機すなわち各ＩＰ電話機１１および各デジタル電話機２１間の相対的な位置関係を出力する出力部６を少なくとも含んで構成される。
【００２５】
また、ＩＰ電話機１１は、当該ＩＰ電話機１１全体の制御を行うＩＰ電話機制御部１２、着信音等の音声信号を生成する音声生成部１３、生成した音声信号を出力するスピーカ１４、他の構内電話機が出力した着信音等の音声信号を入力するマイク１５を少なくとも含んで構成される。また、デジタル電話機２１は、当該デジタル電話機２１全体の制御を行うデジタル電話機制御部２２、着信音等の音声信号を生成する音声生成部２３、生成した音声信号を出力するスピーカ２４、他の構内電話機が出力した着信音等の音声信号を入力するマイク２５を少なくとも含んで構成される。
【００２６】
図２は、前述のように、図１に示す電話システムに接続される構内電話機（ＩＰ電話機１１もしくはデジタル電話機２１）の設置状況の一例を示している。図２に示す構内電話機設置状況例においては、構内電話機（ＩＰ電話機１１もしくはデジタル電話機２１）が第一部門４１と第二部門４２との２つのグループそれぞれに設置されている例を示しており、一斉呼び出しまたはページングの対象となるグループとして、全ての構内電話機を対象とする場合以外に、第一部門４１と第二部門４２との２つの部門を個別に対象とする部門別の場合が存在し、第一部門４１には、ＩＰ電話機１１ａもしくはデジタル電話機２１ａ、ないし、ＩＰ電話機１１ｈもしくはデジタル電話機２１ｈの８台の構内電話機が存在し、第二部門４２には、ＩＰ電話機１１ｉもしくはデジタル電話機２１ｉ、ないし、ＩＰ電話機１１ｋもしくはデジタル電話機２１ｋの３台の構内電話機が存在している例を示している。
【００２７】
ここで、第一部門４１側の第一領域４１ａ、第二領域４１ｂ、第三領域４１ｃの円弧で示した３つの領域は、それぞれの中心位置が、ＩＰ電話機１１ａもしくはデジタル電話機２１ａ、ＩＰ電話機１１ｃもしくはデジタル電話機２１ｃ、ＩＰ電話機１１ｆもしくはデジタル電話機２１ｆの設置位置であって、ＩＰ電話機１１ａもしくはデジタル電話機２１ａ、ＩＰ電話機１１ｃもしくはデジタル電話機２１ｃ、ＩＰ電話機１１ｆもしくはデジタル電話機２１ｆのそれぞれが、一斉呼び出し用またはページング用の着信音（呼び出し音（リング）または音声）を鳴動させた際に、ユーザが認識可能な音声レベル（音量）としてあらかじめ定めた音量閾値を超える音声レベル（音量）の音声信号が到達することが可能な音声レベル領域であることを示している。同様に、第二部門４２側の第四領域４１ｄの円弧で示した領域は、中心位置が、ＩＰ電話機１１ｊもしくはデジタル電話機２１ｊの設置位置であって、ＩＰ電話機１１ｊもしくはデジタル電話機２１ｊが、一斉呼び出し用またはページング用の着信音（呼び出し音（リング）または音声）を鳴動させた際に、ユーザが認識可能な音声レベル（音量）としてあらかじめ定めた音量閾値を超える音声レベル（音量）の音声信号が到達することが可能な音声レベル領域であることを示している。
【００２８】
第一部門４１の第一領域４１ａには、着信音鳴動源のＩＰ電話機１１ａもしくはデジタル電話機２１ａ以外に、ＩＰ電話機１１ｂもしくはデジタル電話機２１ｂ、ＩＰ電話機１１ｅもしくはデジタル電話機２１ｅの２台の構内電話機が含まれており、第二領域４１ｂには、着信音鳴動源のＩＰ電話機１１ｃもしくはデジタル電話機２１ｃ以外に、ＩＰ電話機１１ｂもしくはデジタル電話機２１ｂ、ＩＰ電話機１１ｄもしくはデジタル電話機２１ｄの２台の構内電話機が含まれており、第三領域４１ｃには、着信音鳴動源のＩＰ電話機１１ｆもしくはデジタル電話機２１ｆ以外に、ＩＰ電話機１１ｅもしくはデジタル電話機２１ｅ、ＩＰ電話機１１ｇもしくはデジタル電話機２１ｇ、ＩＰ電話機１１ｈもしくはデジタル電話機２１ｈの３台の構内電話機が含まれている。一方、第二部門４２の第四領域４２ａには、着信音鳴動源のＩＰ電話機１１ｊもしくはデジタル電話機２１ｊ以外に、ＩＰ電話機１１ｉもしくはデジタル電話機２１ｉ、ＩＰ電話機１１ｋもしくはデジタル電話機２１ｋの２台の構内電話機が含まれている。
【００２９】
交換装置１（構内交換機やキーテレホンシステム）は、運用開始前の設置工事段階において、接続されている構内電話機（図２に示す例においては、ＩＰ電話機１１ａもしくはデジタル電話機２１ａ、ないし、ＩＰ電話機１１ｋもしくはデジタル電話機２１ｋの１１台の構内電話機）それぞれについて、あらかじめ定めた順番に順次選択して、選択した構内電話機（例えばＩＰ電話機１１ａもしくはデジタル電話機２１ａ）に対して、一斉呼び出しやページングにおいて着信音として使用するリング（呼び出し音）や擬似的な音声を出力することを指示し、選択していない残りの構内電話機（例えばＩＰ電話機１１ｂもしくはデジタル電話機２１ｂ、ないし、ＩＰ電話機１１ｋもしくはデジタル電話機２１ｋの１０台の構内電話機）に対しては、それぞれのマイク（マイク１５もしくはマイク２５）を有効にして、選択した構内電話機（例えばＩＰ電話機１１ａもしくはデジタル電話機２１ａ）が一斉呼び出しやページングにおける着信音として鳴動した音声信号を入力するように指示する。
【００３０】
交換装置１から一斉呼び出しやページングにおける着信音としてリング（呼び出し音）や擬似的な音声を出力することを指示された構内電話機（例えばＩＰ電話機１１ａもしくはデジタル電話機２１ａ）はスピーカ（スピーカ１４もしくはスピーカ２４）から、一斉呼び出しやページングにおいて着信音として使用するリング（呼び出し音）や擬似的な音声を出力する。
【００３１】
一方、交換装置１から音声信号の入力を指示された残りの構内電話機（例えばＩＰ電話機１１ｂもしくはデジタル電話機２１ｂ、ないし、ＩＰ電話機１１ｋもしくはデジタル電話機２１ｋの１０台の電話機）のうち、ＩＰ電話機（例えばＩＰ電話機１１ｂ等）は、選択した構内電話機（例えばＩＰ電話機１１ａもしくはデジタル電話機２１ａ）が着信音として鳴動した音声信号をマイク１５から入力し、マイク１５から入力した音声信号を音声レベルに変換して、ＬＡＮ３１を介して交換装置１に送信する。
【００３２】
さらに、交換装置１から音声信号の入力を指示された残りの構内電話機（例えばＩＰ電話機１１ｂもしくはデジタル電話機２１ｂ、ないし、ＩＰ電話機１１ｋもしくはデジタル電話機２１ｋの１０台の電話機）のうち、デジタル電話機（例えばデジタル電話機２１ｃ等）は、選択した構内電話機（例えばＩＰ電話機１１ａもしくはデジタル電話機２１ａ）が着信音として鳴動した音声信号をマイク２５から入力し、マイク２５から入力した音声信号を、デジタル通信ケーブル３２を介して交換装置１に送信する。
【００３３】
交換装置１は、ＩＰ電話機（例えばＩＰ電話機１１ｂ等）からＬＡＮ３１を介して受け取った音声信号の音声レベルを記憶部５に記憶するとともに、デジタル電話機（例えばデジタル電話機２１ｃ等）からデジタル通信ケーブル３２を介して受け取った音声信号を音声レベルに変換して記憶部５に記憶する。
【００３４】
以降、あらかじめ定めた順番にしたがって、順次、交換装置１に接続されている構内電話機の全てについて、同様の動作を繰り返し、交換装置１に接続されている全ての構内電話機（図２に示す例においては、ＩＰ電話機１１ａもしくはデジタル電話機２１ａ、ないし、ＩＰ電話機１１ｋもしくはデジタル電話機２１ｋの１１台の電話機）について、それぞれにおいて入力された音声信号に関する音声レベルを記憶部５に記憶する。
【００３５】
全ての構内電話機（図２に示す例においては、ＩＰ電話機１１ａもしくはデジタル電話機２１ａ、ないし、ＩＰ電話機１１ｋもしくはデジタル電話機２１ｋの１１台の電話機）の音声信号に関する音声レベルを記憶部５に記憶すると、交換装置１は、記憶部５に記憶された全ての構内電話機の音声レベルの強弱に基づいて、各構内電話機（ＩＰ電話機１１もしくはデジタル電話機２１）の間の相対的な距離（相対的な位置関係）を算出する。
【００３６】
しかる後、交換装置１は、各構内電話機の間の相対的な距離（相対的な位置関係）と音声レベルとに基づいて、一斉呼び出しやページングの際に、着信音（リング（呼び出し音）や音声）を鳴動させるべき呼び出し対象電話機（ＩＰ電話機１１もしくはデジタル電話機２１）を決定する。
【００３７】
さらに説明すると、呼び出し対象電話機を例えば次のような手順によって決定する。交換装置１は、算出した相対的な距離を用いて、一斉呼び出しやページングにおけるグループ単位に、１ないし複数の構内電話機（ＩＰ電話機１１もしくはデジタル電話機２１）にて一斉呼び出し用やページング用の着信音（呼び出し音（リング）や音声）を鳴動させた際に、残りの他の構内電話機の全てが、鳴動した該着信音をユーザが認識可能な音声レベル（音量）としてあらかじめ定めた音量閾値を超える領域内に含まれるようになる着信音鳴動元の構内電話機の組み合わせを算出する。そして、算出した着信音鳴動元の構内電話機の組み合わせのうち、最も少ない台数の構内電話機の組み合わせを、一斉呼び出しやページングの音声、リング（呼び出し音）等による着信音を鳴動させるべき対象となる呼び出し対象電話機として決定する。
【００３８】
例えば、図２に示す例においては、第一部門４１の８台の構内電話機（ＩＰ電話機１１ａもしくはデジタル電話機２１ａ、ないし、ＩＰ電話機１１ｈもしくはデジタル電話機２１ｈ）のうち、一斉呼び出しやページングの音声、リング（呼び出し音）等による着信音の鳴動元にすべき呼び出し対象電話機を、第一領域４１ａの中心位置にある構内電話機（ＩＰ電話機１１ａもしくはデジタル電話機２１ａ）、第二領域４１ｂの中心位置にある構内電話機（ＩＰ電話機１１ｃもしくはデジタル電話機２１ｃ）、第三領域４１ｃの中心位置にある構内電話機（ＩＰ電話機１１ｆもしくはデジタル電話機２１ｆ）の３台の構内電話機に設定すれば、最も台数が少ない構内電話機の組み合わせによって、確実かつ効率良く、一斉呼び出しやページングの音声、リング（呼び出し音）等による着信音を鳴動させることができる。
【００３９】
（実施形態の動作の説明）
次に、本発明による電話システムの一例として図１、図２に例示した電話システムの動作の一例を、図３Ａ及び図３Ｂのフローチャートを参照して、詳細に説明する。図３Ａおよび図３Ｂは、図１、図２に例示した電話システムの動作の一例を説明するためのフローチャートの前半部分および後半部分をそれぞれ示す図であり、図３Ａの符号Ａは図３Ｂの符号Ａに接続している。図３Ａおよび図３Ｂは、両者で１つのフローチャートをなし、このフローチャートは、図１、図２に例示した電話システムの運用を開始するに当たって、事前に、一斉呼び出しもしくはページングを行う際に、着信音（リング（呼び出し音）や音声）を鳴動させる対象とする呼び出し対象電話機を自動的に決定する動作について説明している。
【００４０】
なお、以下の説明においては、説明を簡素化するために、図２の構内電話機設置状況において、第一部門４１、第二部門４２を含む全ての構内電話機（つまり、ＩＰ電話機１１ａもしくはデジタル電話機２１ａ、ないし、ＩＰ電話機１１ｋもしくはデジタル電話機２１ｋの１１台の構内電話機）を対象とした一斉呼び出しもしくはページングを行う際に、着信音（リング（呼び出し音）や音声）を鳴動させる対象とする呼び出し対象電話機を自動的に決定して設定する場合を例にとって説明するが、交換装置１に接続された全ての構内電話機の場合に限るものではなく、一斉呼び出しもしくはページングを行う対象の構内電話機を適当なグループに分割して、分割したグループに属する構内電話機を抽出して、呼び出し対象電話機を自動的に決定することも可能である。
【００４１】
図３Ａおよび図３Ｂで示すフローチャートにおいて、まず、全ての構内電話機（つまり、図２に示すＩＰ電話機１１ａもしくはデジタル電話機２１ａ、ないし、ＩＰ電話機１１ｋもしくはデジタル電話機２１ｋの１１台の構内電話機）の中から、あらかじめ定めた順番に、最初のＩＰ電話機１１（例えば、ＩＰ電話機１１ａ）を選択する（ステップＳ１）。次に、選択したＩＰ電話機１１（例えば、ＩＰ電話機１１ａ）が存在するか否かを判別する（ステップＳ２）。選択したＩＰ電話機１１が存在していた場合には（ステップＳ２の「はい」）、ステップＳ３へ進んで、選択したＩＰ電話機１１から出力される着信音を残りの他の構内電話機それぞれにおいて受信した際の音声レベル（音量）の測定動作に移行し、一方、存在していなかった場合には(ステップＳ２の「いいえ」)、構内電話機としてＩＰ電話機１１が存在していない場合であるので、ステップＳ８に進んで、全ての構内電話機（つまり、デジタル電話機２１ａ、ないし、デジタル電話機２１ｋの１１台の構内電話機）について、あらかじめ定めた順番に、デジタル電話機２１を選択する動作に移行する。
【００４２】
ステップＳ３においては、選択したＩＰ電話機１１（例えば、ＩＰ電話機１１ａ）以外の他の構内電話機（例えばＩＰ電話機１１ｂもしくはデジタル電話機２１ｂ、ないし、ＩＰ電話機１１ｋもしくはデジタル電話機２１ｋの１０台の電話機）に対して、マイク（マイク１５もしくはマイク２５）を有効にして、音声入力の指示を行う（ステップＳ３）。つまり、選択したＩＰ電話機１１（例えば、ＩＰ電話機１１ａ）が一斉呼び出しもしくはページングを行う際に鳴動させる着信音をマイク（マイク１５もしくはマイク２５）に入力させるように指示する。
【００４３】
しかる後、選択したＩＰ電話機１１（例えば、ＩＰ電話機１１ａ）のスピーカ１４から音声（すなわち一斉呼び出しもしくはページングを行う際の着信音）を出力させる（ステップＳ４）。選択したＩＰ電話機１１（例えば、ＩＰ電話機１１ａ）以外の他の構内電話機（例えば、ＩＰ電話機１１ｂもしくはデジタル電話機２１ｂ、ないし、ＩＰ電話機１１ｋもしくはデジタル電話機２１ｋの１０台の構内電話機）は、選択したＩＰ電話機１１（例えば、ＩＰ電話機１１ａ）から着信音として出力される音声信号を、有効にしたマイク（ＩＰ電話機１１の場合はマイク１５、デジタル電話機２１の場合はマイク２５）により受け取って、ＩＰ電話機１１の場合には、マイク１５から入力されてくる音声信号の音声レベル（音量）を判別して、判別した音声レベル（音量）を、ＬＡＮ３１を介して交換装置１に送信することによって記憶部５に保存する。一方、デジタル電話機２１の場合には、マイク２５から入力されてくる音声信号を、デジタル通信ケーブル３２を介して交換装置１に送信し、該音声信号を受け取った交換装置１側において、該音声信号の音声レベル（音量）を判別して記憶部５に保存する（ステップＳ５）。
【００４４】
次いで、全ての構内電話機（つまり、ＩＰ電話機１１ａもしくはデジタル電話機２１ａ、ないし、ＩＰ電話機１１ｋもしくはデジタル電話機２１ｋの１１台の構内電話機）のうち、まだ、選択すべき次のＩＰ電話機１１が存在しているか否かを判別する（ステップＳ６）。まだ、選択すべき次のＩＰ電話機１１が存在している場合は（ステップＳ６の「はい」）、次のＩＰ電話機１１（例えば、ＩＰ電話機１１ｂ）を選択して（ステップＳ７）、ステップＳ３に復帰して、ステップＳ３ないしステップＳ５の動作を繰り返す。
【００４５】
一方、全ての構内電話機（つまり、ＩＰ電話機１１ａもしくはデジタル電話機２１ａ、ないし、ＩＰ電話機１１ｋもしくはデジタル電話機２１ｋの１１台の構内電話機）に、選択すべき次のＩＰ電話機１１が存在していなかった場合には（ステップＳ６の「いいえ」）、全てのＩＰ電話機１１の選択動作は終了したので、ステップＳ８に進んで、次に、デジタル電話機２１を選択する動作に移行する。
【００４６】
ステップＳ８においては、まず、全ての構内電話機（つまり、図２に示すＩＰ電話機１１ａもしくはデジタル電話機２１ａ、ないし、ＩＰ電話機１１ｋもしくはデジタル電話機２１ｋの１１台の構内電話機）の中から、あらかじめ定めた順番に、最初のデジタル電話機２１（例えば、デジタル電話機２１ｃ）を選択する（ステップＳ８）。次に、選択したデジタル電話機２１（例えば、デジタル電話機２１ｃ）が存在しているか否かを判別する（ステップＳ９）。選択したデジタル電話機２１が存在していなかった場合には（ステップＳ９の「いいえ」）、構内電話機としてデジタル電話機２１は存在していなく、ＩＰ電話機１１のみが存在していた場合であるので、ステップＳ１５に進んで、次に、全ての構内電話機（つまり、ＩＰ電話機１１ａないしＩＰ電話機１１ｋの１１台の構内電話機）のうち、一斉呼び出しやページングにおける着信音としてリング（呼び出し音）や音声を鳴動させるべき呼び出し対象電話機を決定する動作に移行する。
【００４７】
一方、選択したデジタル電話機２１が存在していた場合には（ステップＳ９の「はい」）、ステップＳ１０へ進んで、選択したデジタル電話機２１から出力される着信音を残りの他の構内電話機それぞれにおいて受信した際の音声レベル（音量）の測定動作に移行する。
【００４８】
ステップＳ１０においては、選択したデジタル電話機２１（例えば、デジタル電話機２１ｃ）以外の他の構内電話機（例えばＩＰ電話機１１ａもしくはデジタル電話機２１ａ、ＩＰ電話機１１ｂもしくはデジタル電話機２１ｂ、ＩＰ電話機１１ｄもしくはデジタル電話機２１ｄ、ないし、ＩＰ電話機１１ｋもしくはデジタル電話機２１ｋの１０台の電話機）に対して、マイク（マイク１５もしくはマイク２５）を有効にして、音声入力の指示を行う（ステップＳ１０）。つまり、選択したデジタル電話機２１（例えば、デジタル電話機２１ｃ）が一斉呼び出しもしくはページングを行う際に鳴動させる着信音をマイク（マイク１５もしくはマイク２５）に入力させるように指示する。
【００４９】
しかる後、選択したデジタル電話機２１（例えば、デジタル電話機２１ｃ）のスピーカ２４から音声（すなわち一斉呼び出しもしくはページングを行う際の着信音）を出力させる（ステップＳ１１）。選択したデジタル電話機２１（例えば、デジタル電話機２１ｃ）以外の他の構内電話機（例えばＩＰ電話機１１ａもしくはデジタル電話機２１ａ、ＩＰ電話機１１ｂもしくはデジタル電話機２１ｂ、ＩＰ電話機１１ｄもしくはデジタル電話機２１ｄ、ないし、ＩＰ電話機１１ｋもしくはデジタル電話機２１ｋの１０台の電話機）は、選択したデジタル電話機２１（例えば、デジタル電話機２１ｃ）から着信音として出力される音声信号を、有効にしたマイク（ＩＰ電話機１１の場合はマイク１５、デジタル電話機２１の場合はマイク２５）により受け取って、ＩＰ電話機１１の場合には、マイク１５から入力されてくる音声信号の音声レベル（音量）を判別して、判別した音声レベル（音量）を、ＬＡＮ３１を介して交換装置１に送信することによって記憶部５に保存する。一方、デジタル電話機２１の場合には、マイク２５から入力されてくる音声信号を、デジタル通信ケーブル３２を介して、交換装置１側に送信し、該音声信号を受け取った交換装置１側において、該音声信号の音声レベル（音量）を判別して記憶部５に保存する（ステップＳ１２）。
【００５０】
次いで、全ての構内電話機（つまり、ＩＰ電話機１１ａもしくはデジタル電話機２１ａ、ないし、ＩＰ電話機１１ｋもしくはデジタル電話機２１ｋの１１台の構内電話機）のうち、まだ、選択すべき次のデジタル電話機２１が存在しているか否かを判別する（ステップＳ１３）。まだ、選択すべき次のデジタル電話機２１が存在している場合は（ステップＳ１３の「はい」）、次のデジタル電話機２１（例えば、デジタル電話機２１ｄ）を選択して（ステップＳ１４）、ステップＳ１０に復帰して、ステップＳ１０ないしステップＳ１２の動作を繰り返す。
【００５１】
一方、全ての構内電話機（つまり、ＩＰ電話機１１ａもしくはデジタル電話機２１ａ、ないし、ＩＰ電話機１１ｋもしくはデジタル電話機２１ｋの１１台の構内電話機）に、選択すべき次のデジタル電話機２１が存在していなかった場合には（ステップＳ１３の「いいえ」）、全てのデジタル電話機２１の選択動作についても終了し、全ての構内電話機（つまり、ＩＰ電話機１１ａもしくはデジタル電話機２１ａ、ないし、ＩＰ電話機１１ｋもしくはデジタル電話機２１ｋの１１台の構内電話機）に関する着信音の音声レベル（音量）のデータを記憶部５に収集して記憶した状態に達したので、ステップＳ１５に進んで、次に、全ての構内電話機（つまり、ＩＰ電話機１１ａもしくはデジタル電話機２１ａ、ないし、ＩＰ電話機１１ｋもしくはデジタル電話機２１ｋの１１台の構内電話機）のうち、一斉呼び出しやページングにおける着信音としてリング（呼び出し音）や音声を鳴動させるべき呼び出し対象電話機を決定する動作に移行する。
【００５２】
ステップ１５においては、まず、全ての構内電話機（つまり、ＩＰ電話機１１ａもしくはデジタル電話機２１ａ、ないし、ＩＰ電話機１１ｋもしくはデジタル電話機２１ｋの１１台の構内電話機）の中から、一斉呼び出しやページングの対象となるグループに属している構内電話機（ＩＰ電話機１１、デジタル電話機２１のいずれかまたは双方を含む構内電話機）を抽出する（ステップＳ１５）。本実施形態においては、前述したように、交換装置１（構内交換機もしくはキーテレホンシステム）に接続されている全ての構内電話機が一斉呼び出しやページングの対象となるグループに属している構内電話機として抽出される場合を説明している。ただし、例えば、図２に示した第一部門４１に属する構内電話機、または、第二部門４２に属する構内電話機、等にグループ分けして、グループ分けした構内電話機のみを、一斉呼び出しやページングの対象とすることも勿論可能である。
【００５３】
次に、一斉呼び出しやページングの対象となるグループに属する構内電話機として抽出した構内電話機の中から、あらかじめ定めた順番に、最初の構内電話機（ＩＰ電話機１１またはデジタル電話機２１）を呼び出し対象電話機として選択する（ステップＳ１６）。しかる後、選択した構内電話機が存在しているか否かを判別する（ステップＳ１７）。選択した構内電話機（ＩＰ電話機１１またはデジタル電話機２１）が存在していなかった場合には（ステップＳ１７の「いいえ」）、呼び出し対象電話機としての設定動作を実施する必要がないので、図３Ａおよび図３Ｂで示すフローチャートの動作を終了する。一方、選択した構内電話機（ＩＰ電話機１１またはデジタル電話機２１）が存在していた場合には（ステップＳ１７の「はい」）、ステップＳ１８へ進む。
【００５４】
ステップＳ１８においては、選択した構内電話機（ＩＰ電話機１１またはデジタル電話機２１）を「鳴動有り」の構内電話機、すなわち、一斉呼び出しやページングを行う際に、呼び出し音を鳴動させる対象となる呼び出し対象電話機として決定する（ステップＳ１８）。
【００５５】
さらに、一斉呼び出しやページングの対象となるグループに属する各構内電話機について、選択した構内電話機（ＩＰ電話機１１またはデジタル電話機２１）が一斉呼び出し用やページング用として鳴動させた着信音（呼び出し音（リング）や音声）の音声信号を、該構内電話機以外の他の構内電話機（ＩＰ電話機１１またはデジタル電話機２１）が受け取った際の、該他の構内電話機それぞれにおける音声レベル（音量）を、記憶部５に保存されている各構内電話機の着信音の音声レベル（音量）のデータを検索して調べて、一斉呼び出しやページングの対象グループの各ユーザが認識することが可能な音声レベルとしてあらかじめ定めた一定の音声レベルすなわち音量閾値を超えているか否かを判別する。
【００５６】
記憶部５の検索結果として、選択した構内電話機（ＩＰ電話機１１またはデジタル電話機２１）からの着信音が前記音量閾値を超える構内電話機（ＩＰ電話機１１またはデジタル電話機２１）は、「鳴動無し」の構内電話機（すなわち鳴動無し電話機）として、すなわち、一斉呼び出しやページングを行う際に、呼び出し音を鳴動させない構内電話機（非呼び出し対象電話機）として決定する（ステップＳ１９）。つまり、呼び出し対象電話機として選択した構内電話機（ＩＰ電話機１１またはデジタル電話機２１）からの着信音が前記音量閾値を超える構内電話機（ＩＰ電話機１１またはデジタル電話機２１）のユーザは、呼び出し対象電話機として選択した構内電話機が鳴動させた着信音によって、一斉呼び出しやページングの着信があったことを認識することができる。したがって、当該構内電話機自身にて着信音を鳴動させる必要はないし、而して、一斉呼び出しやページングの際の着信音の音量を適正に抑止することもできる。
【００５７】
しかる後、ステップＳ２０に進み、一斉呼び出しやページングの対象となるグループに属する各構内電話機について、着信音の鳴動の有無が決定していない構内電話機（ＩＰ電話機１１またはデジタル電話機２１）がまだ存在しているか否かを確認する（ステップＳ２０）。着信音の鳴動の有無が決定していない構内電話機（ＩＰ電話機１１またはデジタル電話機２１）が存在していない場合は（ステップＳ２０の「いいえ」）、呼び出し対象電話機としての設定動作が全て終了したので、図３Ａおよび図３Ｂで示すフローチャートの動作を終了する。
【００５８】
一方、着信音の鳴動の有無が決定していない構内電話機（ＩＰ電話機１１またはデジタル電話機２１）がまだ存在している場合は（ステップＳ２０の「はい」）、着信音の鳴動の有無が決定していない構内電話機（ＩＰ電話機１１またはデジタル電話機２１）の中から、あらかじめ定めた順番に、次の構内電話機（ＩＰ電話機１１またはデジタル電話機２１）を呼び出し対象電話機として選択して（ステップＳ２１）、ステップＳ１８に復帰して、ステップＳ１８ないしステップＳ２０の動作を繰り返す。
【００５９】
以上のような動作を行うことによって、交換装置１に接続している構内電話機（ＩＰ電話機１１やデジタル電話機２１）の全てもしくは指定したグループに対して音声、リング（呼び出し音）等による一斉呼び出しやページングを行う際に、一斉呼び出しやページングの音声、リング（呼び出し音）等による着信音を鳴動させるべき対象となる呼び出し対象電話機を効率的かつ自動的に設定することができる。
【００６０】
例えば、図２に示した電話システムのシステム構成例において、第一部門４１に属する構内電話機（ＩＰ電話機１１ａもしくはデジタル電話機２１ａ、ないし、ＩＰ電話機１１ｈもしくはデジタル電話機２１ｈの８台の構内電話機）に対して一斉呼び出しやページングを行う場合に、着信音鳴動元として設定すべき呼び出し対象電話機を選択する動作例について、図４を用いてさらに説明する。図４は、図２に示した電話システムの第一部門４１の構内電話機に対する呼び出し対象電話機を選択する動作例を説明するための模式図である。
【００６１】
図４に示す模式図においては、第一部門４１の構内電話機それぞれの音声レベル（音量）の収集結果から得られる各構内電話機の相対的な設置位置に基づいて、図３ＢのフローチャートのステップＳ１６、ステップＳ２１において、呼び出し対象電話機を選択する順番として、ＩＰ電話機１１ａもしくはデジタル電話機２１ａ、ＩＰ電話機１１ｃもしくはデジタル電話機２１ｃ、ＩＰ電話機１１ｆもしくはデジタル電話機２１ｆの順番が、最も少ない呼び出し対象電話機により、最も効率良く、一斉呼び出しやページングを行うことができるものとして、あらかじめ算出されている例を示している。
【００６２】
したがって、まず、図３ＢのフローチャートのステップＳ１６において、一斉呼び出しやページングの対象になる第一部門４１の最初の構内電話機として、ＩＰ電話機１１ａまたはデジタル電話機２１ａを選択すると、図４の設定ステップＳＥＴ１に示すように、最初の「鳴動有り」のＩＰ電話機１１またはデジタル電話機２１（すなわち呼び出し対象電話機）として、ＩＰ電話機１１ａまたはデジタル電話機２１ａを選択する（図３ＢのフローチャートのステップＳ１８）。さらに、図４の設定ステップＳＥＴ２に示すように、該ＩＰ電話機１１ａまたはデジタル電話機２１ａが出力した着信音が前記音量閾値を超えて到達することが可能な領域である第一領域４１ａに属するＩＰ電話機１１ｂまたはデジタル電話機２１ｂ、および、ＩＰ電話機１１ｅまたはデジタル電話機２１ｅを、「鳴動無し」の構内電話機（すなわち鳴動無し電話機）として決定する（図３ＢのフローチャートのステップＳ１９）。
【００６３】
かかる最初の選択結果においては、まだ、「鳴動」の有無が決定されていない構内電話機が存在しているので、次いで、図４の設定ステップＳＥＴ３に示すように、次の「鳴動有り」のＩＰ電話機１１またはデジタル電話機２１（すなわち呼び出し対象電話機）として、ＩＰ電話機１１ｃまたはデジタル電話機２１ｃを選択する（図３ＢのフローチャートのステップＳ２１およびステップＳ１８）。さらに、図４の設定ステップＳＥＴ４に示すように、該ＩＰ電話機１１ｃまたはデジタル電話機２１ｃが出力した着信音が前記音量閾値を超えて到達することが可能な領域である第二領域４１ｂに属する構内電話機のうち、最初の選択動作段階における第一領域４１ａに属していて、「鳴動無し」の鳴動無し電話機として決定済みのＩＰ電話機１１ｂまたはデジタル電話機２１ｂ以外の、ＩＰ電話機１１ｄまたはデジタル電話機２１ｄを、「鳴動無し」の構内電話機（すなわち鳴動無し電話機）として決定する（図３ＢのフローチャートのステップＳ２１およびステップＳ１９）。
【００６４】
さらに、かかる最初の選択結果および次の選択結果においても、まだ、「鳴動」の有無が決定されていない構内電話機が存在しているので、次いで、図４の設定ステップＳＥＴ５に示すように、次の「鳴動有り」のＩＰ電話機１１またはデジタル電話機２１（すなわち呼び出し対象電話機）として、ＩＰ電話機１１ｆまたはデジタル電話機２１ｆを選択する（図３ＢのフローチャートのステップＳ２１およびステップＳ１８）。さらに、図４の設定ステップＳＥＴ６に示すように、該ＩＰ電話機１１ｆまたはデジタル電話機２１ｆが出力した着信音が前記音量閾値を超えて到達することが可能な領域である第三領域４１ｃに属する構内電話機のうち、最初の選択動作段階における第一領域４１ａに属していて、「鳴動無し」の鳴動無し電話機として決定済みのＩＰ電話機１１ｅまたはデジタル電話機２１ｅ以外の、ＩＰ電話機１１ｇまたはデジタル電話機２１ｇ、および、ＩＰ電話機１１ｈまたはデジタル電話機２１ｈを、「鳴動無し」の構内電話機（すなわち鳴動無し電話機）として決定する（図３ＢのフローチャートのステップＳ２１およびステップＳ１９）。
【００６５】
この結果、第一部門４１の８台の構内電話機のうち、ＩＰ電話機１１ａもしくはデジタル電話機２１ａ、ＩＰ電話機１１ｃもしくはデジタル電話機２１ｃ、ＩＰ電話機１１ｆもしくはデジタル電話機２１ｆの３台の構内電話機のみに一斉呼び出しやページングの呼び出し対象電話機として着信音を鳴動させることによって、８台の構内電話機それぞれのユーザに対して、一斉呼び出しやページングの着信があった旨を効率的に通報することができる。
【００６６】
（その他の実施形態）
前述した実施形態においては、電話システムの運用を開始する前の設置工事段階において、事前に、各構内電話機における着信音の音声レベルの測定を実施し、該音声レベルの測定結果に基づいて、一斉呼び出しやページングの際に呼び出し対象電話機として着信音を鳴動させるべき構内電話機の決定を行う場合について説明したが、本発明は、かかる場合のみに限るものではない。例えば、運用開始前においては、図３ＡのフローチャートのステップＳ１ないしステップＳ１４に示したような音声レベル測定動作によって、各構内電話機（ＩＰ電話機１１またはデジタル電話機）の着信音の音声レベル（音量）の収集・保存動作を行うことなく、その代わりに、任意に、一斉呼び出しやページングの際に呼び出し対象電話機として着信音を鳴動させるべき構内電話機を選択して設定し、残りの構内電話機を、一斉呼び出しやページングの際の着信音を鳴動させない鳴動無し電話機として設定するようにしても良い。かかる状態で、電話システムの運用を開始するようにした場合には、運用開始後の実際の一斉呼び出しやページングによる着信音の音声レベル（音量）を各構内電話機にて収集して、収集した着信音の音声レベル（音量）に応じて、呼び出し対象電話機を追加したり、削除したりするようにすれば良い。
【００６７】
あるいは、呼び出し対象電話機と鳴動無し電話機とに振り分けることを、事前に実施することなく、一斉呼び出しやページングの際に、一斉呼び出しやページングの対象となる全ての構内電話機を呼び出し対象電話機として、着信音を鳴動させる状態で、電話システムの運用を開始するようにして、運用後の実際の一斉呼び出しやページングによる着信音の音声レベル（音量）を各構内電話機にて収集して、収集した着信音の音声レベル（音量）に応じて、呼び出し対象電話機を削除していくようにしても良い。
【００６８】
つまり、着信音の音声レベル（音量）の収集・保存動作を事前に行うことなく、適当な構内電話機（ＩＰ電話機１１やデジタル電話機２１）を呼び出し対象電話機として設定して、電話システムの運用を開始した場合においては、運用に入った以降において、鳴動設定をしていた呼び出し対象電話機に対して実際の一斉呼び出しやページングによる着信音の鳴動を行った際に、着信音の鳴動設定をしていない構内電話機における着信音の音声レベル（音量）を測定する音声レベル測定動作を実施し、該音声レベル測定動作結果として、ユーザが認識可能な音声レベル（音量）としてあらかじめ定めた音量閾値以下の音声レベル（音量）の構内電話機が存在していた場合には、当該構内電話機を、呼び出し対象電話機として新たに追加して、一斉呼び出しやページングの際に着信音を鳴動させるように設定する。
【００６９】
また、着信音の音声レベル（音量）の収集・保存動作を事前に行うことなく、適当な構内電話機（ＩＰ電話機１１やデジタル電話機２１）を呼び出し対象電話機として任意に設定して、あるいは、呼び出し対象電話機と鳴動無し電話機とに振り分けることなく一斉呼び出しやページングの対象となる全ての構内電話機を呼び出し対象電話機として設定して、電話システムの運用を開始した場合において、運用に入った以降において、鳴動設定をしていた呼び出し対象電話機に対して実際の一斉呼び出しやページングによる着信音の鳴動を行った際に、他の構内電話機における着信音の音声レベル（音量）を測定する音声レベル測定動作を実施し、該音声レベル測定動作結果として、過剰な大音量の識別用としてあらかじめ定めた大音量閾値以上の音声レベル（音量）の構内電話機が存在していた場合には、当該構内電話機に最も近接した位置に存在して呼び出し対象電話機として設定されている構内電話機については、呼び出し対象電話機の設定を解除して、一斉呼び出しやページングによる着信音の鳴動動作を行わせない「鳴動無し」の構内電話機に変更する設定を行う。
【００７０】
かくのごとき運用開始後の音声レベル測定結果に基づく呼び出し対象電話機の設定・変更動作を導入することにより、運用段階においても、動的に、随時、一斉呼び出しやページングの対象となる領域における着信音の音声レベル（音量）を適切な音声レベル（音量）に均一化することができ、当該領域に存在する各構内電話機のユーザは、構内電話機の着信音鳴動の有無に関わらず、一斉呼び出しやページングの着信を確実に認識することができる。
【００７１】
さらには、電話システムの運用開始前に、図３Ａおよび図３Ｂに示したような呼び出し対象電話機の設定動作を行った場合であっても、電話システムの運用開始後に、かくのごとき呼び出し対象電話機の設定・変更動作を実施するようにしても構わないことは言うまでもない。例えば、運用開始後に、構内電話機に配置位置の変更が発生した場合や、構内電話機の新設や削除が発生した場合には、図３Ａおよび図３Ｂのフローチャートに示したような運用開始前の音声レベル測定結果に基づく呼び出し対象電話機の設定動作の実施の有無に関係なく、前述のような運用開始後の音声レベル測定結果に基づく呼び出し対象電話機の設定・変更動作を自動的に実施することによって、一斉呼び出しやページングの対象となる領域における着信音の音声レベル（音量）を適切な音声レベル（音量）に均一化することができる。而して、構内電話機の設置状況の変動後であっても、当該領域に存在する各構内電話機のユーザは、構内電話機の着信音鳴動の有無に関わらず、一斉呼び出しやページングの着信を確実に認識することができる。
【００７２】
（実施形態の効果の説明）
以上に詳細に説明したように、本発明による実施形態においては次のような効果が得られる。 
【００７３】
第一の効果は、構内交換機やキーテレホンシステムといった構内設置型の交換装置１を備えた電話システムにおいて一斉呼び出しやページングの際に呼び出し対象電話機として着信音を鳴動させる構内電話機（ＩＰ電話機１１またはデジタル電話機２１）の設定および設置工事を容易化することができることにある。その理由は、多数の構内電話機（ＩＰ電話機１１またはデジタル電話機２１）の中から、一斉呼び出しやページングの際に呼び出し対象電話機として着信音を鳴動させるべき構内電話機を、実際に鳴動させた着信音の音声レベル（音量）の測定結果を基にして、適切かつ自動的に設定することを可能にしているからである。
【００７４】
第二の効果は、電話システムの運用開始後に、フロア移動や席替えなどによる構内電話機（ＩＰ電話機１１またはデジタル電話機２１）の設置場所の変更が発生した場合であっても、設置場所の変更後の構内電話機において最適となるように、前記呼び出し対象電話機として着信音を鳴動させるべき構内電話機の設定を容易に変更することができることにある。その理由は、運用開始後の一斉呼び出しやページングによる着信音の音声レベル（音量）の測定結果に基づいて、一斉呼び出しやページングの際に呼び出し対象電話機として着信音を鳴動させるべき構内電話機を、適切かつ自動的に設定することを可能にしているからである。
【００７５】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７６】
１        交換装置
２        制御部
３        ＩＰ電話機制御部
４        デジタル電話機制御部
５        記憶部
６        出力部
１１      ＩＰ電話機
１１ａ，１１ｂ，…，１１ｋ    ＩＰ電話機
１２      ＩＰ電話機制御部
１３      音声生成部
１４      スピーカ
１５      マイク
２１      デジタル電話機
２１ａ，２１ｂ，…，２１ｋ    デジタル電話機
２２      デジタル電話機制御部
２３      音声生成部
２４      スピーカ
２５      マイク
３１      ＬＡＮ
３２      デジタル通信ケーブル
４１      第一部門
４１ａ    第一領域
４１ｂ    第二領域
４１ｃ    第三領域
４２      第二部門
４２ａ    第四領域
【図１】
0005483497.tif 000002
【図２】
0005483497.tif 000003
【図３Ａ】
0005483497.tif 000004
【図３Ｂ】
0005483497.tif 000005
【図４】
0005483497.tif 000006